(57)【特許請求の範囲】
【請求項１】
複数の走査線、複数のデータ線、前記走査線と前記データ線との交差に対応して設けられた複数の画素、入力信号に基づいて前記画素を駆動する内部駆動回路、電源が供給される複数の電源端子、及び前記入力信号が供給される複数の入力端子を有する、表示画像の上下又は左右を切り換え可能な電気光学パネルと、
前記電気光学パネルとは別体の外部基板に設けられ、前記電源及び前記入力信号を生成する回路を有する外部駆動回路と、
前記外部駆動回路の電源及び前記入力信号を複数の配線を介して前記電気光学パネルの前記複数の電源端子及び前記複数の入力端子にそれぞれ接続する実装部材と、を備え、
前記内部駆動回路は、第１の制御信号に対応してシフト方向を決定する双方向シフト可能な走査線駆動回路と、第２の制御信号に対応してシフト方向を決定する双方向シフト可能なデータ線駆動回路とを有し、
前記複数の入力端子は、前記画素を駆動し走査する走査方向を決定する第１及び第２の制御信号がそれぞれ供給される第１及び第２の制御信号入力端子を含む、電気光学装置の製造方法であって、
前記実装部材は、前記配線において前記第１及び第２の制御信号入力端子の各々と前記電源端子の高位側電源端子又は低位側電源端子との電気的接続の有無を設定する複数種類のものが予め用意され、前記表示画像の切り換えに対応して接続すべき前記実装部材が選択され、前記外部駆動回路の出力側と前記電気光学パネルの前記複数の電源端子及び前記複数の入力端子との間に接続される、ことを特徴とする電気光学装置の製造方法。
【発明の詳細な説明】
【技術分野】
【０００１】
本発明は、電気光学装置及び電子機器に関する。本発明は、特に、画像を双方向に走査可能な電気光学装置及びそれを備えた電子機器に関する。
【背景技術】
【０００２】
表示装置、例えば、電気光学材料として液晶を用いた液晶表示装置は、陰極線管（ＣＲＴ）に代わるディスプレイデバイスとして、各種情報処理機器の表示部や液晶テレビなどに広く用いられている。
【０００３】
この種の電気光学装置は、例えば、基板上に設けられた走査線駆動回路やデータ線駆動回路等の内部駆動回路及び該内部駆動回路と電気的に接続された複数の端子を備えている。また、該複数の端子に対して、実装部品が実装されると共に該実装部品に接続された外部駆動回路から所定種類の信号が供給される。そして、複数の端子を介して供給される所定種類の信号に基づいて、内部駆動回路が複数の画素を駆動し走査して画像が表示される。
【０００４】
ところで、液晶装置においては、携帯型ビデオのモニタなどに適用するために、必要に応じて表示画像の上下又は左右を反転させる場合がある。例えば、上述の走査線駆動回路やデータ線駆動回路における走査方向を左方向又は右方向に切り換え可能に構成すれば、表示画像の左右反転を自在に行うことが可能となる。このように、従来の電気光学装置において走査方向を切り換え可能に構成するために、双方向に走査方向を切り換えることができる双方向走査線駆動回路や双方向データ線駆動回路を用いる技術が知られている（例えば、特許文献１）。
【特許文献１】特開平７−１４６４６２号公報
【０００５】
図１は、双方向に走査方向を切り換えることができる従来の電気光学装置の構成を示す図である。従来の電気光学装置は、液晶パネルと、外部駆動回路と、実装部材とを備えて構成されている。液晶パネルは、走査線を駆動する双方向走査線駆動回路、及びデータ線を駆動する双方向データ線駆動回路を有しており、双方向走査線駆動回路に供給される制御信号ＤＩＲＹ及びＤＩＲＹＢ、並びに双方向データ線駆動回路に供給される制御信号ＤＩＲＸ及びＤＩＲＸＢに基づいて、画素の走査方向を決定する。
【発明の開示】
【発明が解決しようとする課題】
【０００６】
しかしながら、従来の電気光学装置では、走査線駆動回路及びデータ線駆動回路の双方とも双方向シフト駆動とした場合には、制御信号ＤＩＲＹ及びＤＩＲＹＢ、並びに制御信号ＤＩＲＸ及びＤＩＲＸＢの４つを外部駆動回路において生成し、液晶パネルに供給する必要があった。このように、走査方向を決定するための制御信号の数が増大すると、外部駆動回路において多くの制御信号を生成しなければならないため、外部駆動回路の回路規模が増大するという問題が生じていた。ひいては、電気光学装置のコストが増大するという問題が生じていた。
【０００７】
よって、本発明は、上記の課題を解決することのできる電気光学装置及び電子機器を提供することを目的とする。この目的は特許請求の範囲における独立項に記載の特徴の組み合わせにより達成される。また従属項は本発明の更なる有利な具体例を規定する。
【課題を解決するための手段】
【０００８】
上記課題を解決するため、本発明に係る電気光学装置は、複数の走査線、複数のデータ線、走査線とデータ線との交差に対応して設けられた複数の画素、入力信号に基づいて画素を駆動する内部駆動回路、電源が供給される複数の電源端子、及び入力信号が供給される複数の入力端子を有する電気光学パネルと、複数の電源端子及び複数の入力端子に接続可能な複数の配線を有する実装部材と、電源及び入力信号を生成する回路を有する外部駆動回路とを備え、複数の入力端子は、画素を駆動し走査する走査方向を決定する第１の制御信号が供給される第１の制御信号入力端子を含み、第１の制御信号入力端子は、電源端子と電気的に接続されている。
【０００９】
上記構成によれば、電気光学パネルに供給される電源の電位が、画素を駆動し走査する走査方向を決定する第１の制御信号として電気光学パネルに供給される。したがって、外部駆動回路において、第１の制御信号等を生成する構成を設ける必要がないため、構成が簡易で安価な電気光学装置を提供することができる。
【００１０】
また、上記構成によれば、第１の制御信号入力端子に供給される電源の電位に応じて、走査方向が設定されることとなる。すなわち、第１の制御信号入力端子に、所望の電位を持つ電源が供給される電源端子を電気的に接続することにより、走査方向を所望の方向に容易に設定することができる。したがって、電気光学パネルと外部駆動回路とを電気的に接続して電気光学装置を製造した後においても、当該電気光学装置の用途に応じて走査方向を設定することができる。
【００１１】
また、上記構成によれば、第１の制御信号入力端子を電気光学パネル近傍において電源端子と電気的に接続させることができるため、走査方向を決定する第１の制御信号にノイズがのる危険性を低減させることができる。
【００１２】
当該電気光学装置において、第１の制御信号入力端子は、電源端子に隣接して設けられていることが好ましい。
【００１３】
上記構成によれば、第１の制御信号入力端子が電源端子に隣接して設けられているため、例えば、実装部材や外部駆動回路において第１の制御信号入力端子及び電源端子にそれぞれ接続される配線も隣接して設けられることとなる。したがって、例えば、実装部材や外部駆動回路において第１の制御信号入力端子と電源端子とを容易に電気的に接続することができるため、走査方向を所望の方向に容易に設定することができる。
【００１４】
当該電気光学装置において、複数の電源端子は、内部駆動回路の動作に必要な高位側電源が供給される高位側電源端子、及び低位側電源が供給される低位側電源端子を含み、第１の制御信号入力端子は、高位側電源端子又は低位側電源端子と電気的に接続されていることが好ましい。
【００１５】
上記構成によれば、第１の制御信号入力端子には、第１の制御信号として、内部駆動回路の動作に必要な高位側電源又は低位側電源が供給されることとなる。すなわち、第１の制御信号を生成するための回路や電源を別途設けなくとも、第１の制御信号入力端子を高位側電源端子又は低位側電源端子に電気的に接続することにより、走査方向を所望の方向に設定することができる。
【００１６】
当該電気光学装置において、実装部材は、複数の電源端子及び複数の入力端子に接続される複数の配線を有し、第１の制御信号入力端子は、配線において高位側電源端子又は低位側電源端子と電気的に接続され、高位側電源又は低位側電源は、走査方向を決定する第１の制御信号として用いられており、内部駆動回路は、第１の制御信号に基づいて、画素を駆動し走査することが好ましい。
【００１７】
上記構成によれば、第１の制御信号入力端子は、実装部材に設けられた配線上で、高位側電源端子又は低位側電源端子に電気的に接続されることとなる。すなわち、第１の制御信号入力端子に接続された配線が、実装部材上において、高位側電源端子又は低位側電源端子に接続された配線と接続されることにより、第１の制御信号入力端子は、高位側電源端子又は低位側電源端子と電気的に接続される。したがって、上記構成によれば、実装部材において配線を短絡させるだけで、走査方向を所望の方向に設定することができるため、さらに簡易に走査方向を設定することができる。また、上記構成によれば、実装部材において配線を接続することにより走査方向を設定できるため、電気光学装置を製造した後であっても、容易に走査方向を設定できる。
【００１８】
また、上記構成によれば、電気光学装置を製造した後であっても、実装部材において第１の制御信号入力端子に接続された配線の短絡先を変更することにより、容易に走査方向を変更することができる。また、上記構成によれば、実装部材を交換することにより、第１の制御信号入力端子に接続された配線の短絡先を変更することにより、容易に走査方向を変更することもできる。
【００１９】
当該電気光学装置において、第１の制御信号入力端子は、外部駆動回路において、高位側電源端子又は低位側電源端子と電気的に接続されてもよい。
【００２０】
上記構成によれば、例えば、外部駆動回路が設けられる回路基板等において、第１の制御信号入力端子が高位側電源端子又は低位側電源端子と電気的に接続されることとなる。すなわち、上記構成によれば、外部駆動回路が設けられた回路基板等において配線を短絡させるだけで、走査方向を所望の方向に設定することができるため、簡易に走査方向を設定することができる。また、上記構成によれば、当該回路基板等において、例えば、第１の制御信号入力端子を高位側電源端子及び低位側電源端子のいずれに電気的に接続するかを切り換えるスイッチ等を設けることができる。
【００２１】
当該電気光学装置において、第１の制御信号入力端子は、高位側電源端子と低位側電源端子との間に設けられることが好ましい。第１の制御信号入力端子は、高位側電源端子と低位側電源端子の双方に隣接して設けられるのがさらに好ましい。
【００２２】
上記構成によれば、第１の制御信号入力端子は、高位側電源端子と低位側電源端子との間に設けられるため、いずれの電源端子に対しても容易に電気的に接続させることができる。例えば、実装部材において、第１の制御信号入力端子に接続された配線を、高位側電源端子又は低位側電源端子に接続された配線に短絡させる場合に、高位側電源端子及び低位側電源端子に接続された配線の一方を跨がずに、他方に短絡させることができる。また、上記構成によれば、第１の制御信号入力端子に接続された配線の短絡先を、当該他方から当該一方に容易に変更することができる。したがって、上記構成によれば、走査方向をさらに容易に設定でき、また、容易に走査方向を変更することができる。
【００２３】
当該電気光学装置において、複数の入力端子は、画素を駆動し走査する走査方向を決定する第２の制御信号が供給される第２の制御信号入力端子を含み、内部駆動回路は、走査線を駆動する走査線駆動回路と、データ線を駆動するデータ線駆動回路とを有し、走査線駆動回路及びデータ線駆動回路の双方は双方向シフトに対応しており、走査線駆動回路は、第１の制御信号及び第２の制御信号の一方に基づいて、走査線を駆動し、データ線駆動回路は、第１の制御信号及び第２の制御信号の他方に基づいて、データ線を駆動してもよい。また、内部駆動回路は、走査線を駆動する走査線駆動回路と、データ線を駆動するデータ線駆動回路とを有し、走査線駆動回路及びデータ線駆動回路の一方は、双方向シフトに対応しており、第１の制御信号が供給されていてもよい。
【００２４】
上記構成では、内部駆動回路を構成する走査線駆動回路及びデータ線駆動回路の双方が双方向シフトに対応しており、走査線駆動回路及びデータ線駆動回路のそれぞれが、第１の制御信号又は第２の制御信号に基づいて、画素を駆動し走査することとなる。ここで、第１の制御信号端子及び第２の制御信号端子の少なくとも一方は、走査線駆動回路の動作に必要な電源又はデータ線駆動回路の動作に必要な電源が供給される電源端子に電気的に接続されている。したがって、上記構成によれば、走査線駆動回路及びデータ線駆動回路の双方が双方向シフトに対応していても、走査方向を容易に設定することができる。
【００２５】
当該電気光学装置において、走査線駆動回路及びデータ線駆動回路の動作に必要な電源は共通であり、第１の制御信号入力端子及び第２の制御信号入力端子は、当該電源が供給される同一の電源端子に電気的に接続されてもよい。この場合、第１の制御信号入力端子及び第２の制御信号入力端子の双方を纏めて１つの入力端子とし、２つの電源端子の間、例えば、高位側電源端子と低位側電源端子との間に設けてもよい。
【００２６】
上記構成によれば、走査線駆動回路及びデータ線駆動回路に必要な電源が共通であるため、第１の制御信号入力端子及び第２の制御信号入力端子の双方が、共通の電源が供給される電源端子と電気的に接続されることとなる。したがって、上記構成によれば、さらに簡易な構成で、第１の制御信号及び第２の制御信号のそれぞれが示す走査方向を容易に設定することができる。
【００２７】
当該電気光学装置において、外部駆動回路は、第２の制御信号を生成し、第２の制御信号入力端子に供給してもよい。
【００２８】
上記構成によれば、走査方向を変更する必要のない方向については、当該方向に対応する制御信号入力端子を実装部材等において電源端子と電気的に接続することにより走査方向を固定し、走査方向を変更する方向については、外部駆動回路において制御信号を生成することにより走査方向を変更することができる。
【００２９】
また、本発明の電子機器は、上記電気光学装置を備える。ここで、電子機器とは、本発明にかかる電気光学装置を備えた一定の機能を奏する機器一般をいい、その構成に特に限定はないが、例えば、上記電気光学装置を備えたコンピュータ装置一般、表示装置、携帯電話、ＰＨＳ、ＰＤＡ、電子手帳等、電気光学装置を必要とするあらゆる装置が含まれる。
【発明を実施するための最良の形態】
【００３０】
以下、図面を参照しつつ、発明の実施の形態を通じて本発明を説明するが、以下の実施形態は特許請求の範囲に係る発明を限定するものではなく、また、実施形態の中で説明されている特徴の組み合わせのすべてが発明の解決手段に必須であるとは限らない。
なお、以下の実施形態では、本発明の電気光学装置を液晶表示装置に適用したものを例に説明するが、本発明の電気光学装置が適用されるものはこれに限られず、例えば有機ＥＬ表示装置等にも適用できる。
【００３１】
図２は、本発明の電気光学装置の一例である液晶表示装置の第１実施形態の電気的構成を示すブロック図である。同図を参照して、まず、本実施形態の液晶表示装置の全体構成について説明する。この図に示すように液晶表示装置は、電気光学パネルの一例である液晶パネルＡＡ、実装部材の一例であるフレキシブル基板Ｂ、及び外部基板Ｃを備える。外部基板Ｃは、外部駆動回路の一例である、タイミング発生回路３００、画像処理回路４００、及び電源回路５００を備える。この液晶表示装置に供給される入力画像データＤは、例えば、３ビットパラレルの形式である。タイミング発生回路３００は、入力画像データＤに同期してＹクロック信号ＹＣＫ、反転Ｙクロック信号ＹＣＫＢ、Ｘクロック信号ＸＣＫ、反転Ｘクロック信号ＸＣＫＢ、Ｙ転送開始パルスＤＹ及びＸ転送開始パルスＤＸを生成する。また、タイミング発生回路３００は、画像処理回路４００を制御する各種のタイミング信号を生成し、これを出力する。
【００３２】
Ｙクロック信号ＹＣＫは、走査線２を選択する期間を特定し、反転Ｙクロック信号ＹＣＫＢはＹクロック信号ＹＣＫの論理レベルを反転したものである。Ｘクロック信号ＸＣＫは、データ線３を選択する期間を特定し、反転Ｘクロック信号ＸＣＫＢはＸクロック信号ＸＣＫの論理レベルを反転したものである。
【００３３】
画像処理回路４００は、入力画像データＤに、液晶パネルＡＡの光透過特性を考慮したガンマ補正等を施した後、ＲＧＢ各色の画像データをＤ／Ａ変換して、画像信号４０Ｒ、４０Ｇ、４０Ｂを生成する。
【００３４】
電源回路５００は、タイミング発生回路３００及び画像処理回路４００に電源を供給する他、双方向走査線駆動回路１００及び双方向データ線駆動回路２００の動作に必要な電源を生成する。
【００３５】
このように生成された各種の制御信号及び電源は、フレキシブル基板Ｂを介して液晶パネルＡＡに供給される。
【００３６】
液晶パネルＡＡは、その素子基板上に、端子群１０、画像表示領域Ａ、双方向走査線駆動回路１００及び双方向データ線駆動回路２００を備える。端子群１０は、複数の電源端子及び複数の入力端子を有して構成される（図３乃至図６参照）。
【００３７】
複数の入力端子には、フレキシブル基板Ｂを介して、画素の走査方向を定める第１の制御信号の一例であるＹ制御信号ＤＩＲＹ（以下、ＤＩＲＹとする）及び第２の制御信号の一例であるＸ制御信号ＤＩＲＸ（以下、ＤＩＲＸとする）を含む各種の制御信号が供給される。また、複数の電源端子には、双方向走査線駆動回路１００の動作に必要な高位側電源ＶＤＤＹ（以下、ＶＤＤＹとする）及び低位側電源ＶＳＳＹ（以下、ＶＳＳＹとする）、並びに双方向データ線駆動回路２００の動作に必要な高位側電源ＶＤＤＸ（以下、ＶＤＤＹとする）及び低位側電源ＶＳＳＸ（以下、ＶＳＳＸとする）が供給される。
【００３８】
双方向走査線駆動回路１００は、Ｙシフトレジスタ及びレベルシフタ等を備える。Ｙ転送開始パルスＤＹ、Ｙクロック信号ＹＣＫ及び反転Ｙクロック信号ＹＣＫＢはＹシフトレジスタに供給される。Ｙシフトレジスタは、Ｙクロック信号ＹＣＫ及び反転Ｙクロック信号ＹＣＫＢに同期して、Ｙ転送開始パルスＤＹを順次転送して信号を順次出力する。また、Ｙシフトレジスタには、画素の走査方向を決定するＤＩＲＹが供給されており、Ｙシフトレジスタは、ＤＩＲＹに基づいて走査方向を決定し、Ｙ転送開始パルスＤＹを順次転送して信号を順次出力する。Ｙシフトレジスタは、例えば、ＤＩＲＹの論理値が正論理、すなわち、ＤＩＲＹの電位がＶＤＤＹを示す場合に、ｙ軸における所定の方向にＹ転送開始パルスＤＹを順次転送して信号を順次出力し、ＤＩＲＹの論理値が負論理、すなわち、ＤＩＲＹの電位がＶＳＳＹを示す場合に、当該所定の方向と反対の方向にＹ転送開始パルスＤＹを順次転送して信号を順次出力する。レベルシフタは、信号振幅を大振幅に変換し、走査信号Ｙ１、Ｙ２、…、Ｙｍとして各走査線２に出力する。
【００３９】
双方向データ線駆動回路２００は、画像信号４０Ｒ、４０Ｇ、４０Ｂを所定のタイミングでサンプリングしてデータ線信号Ｘ１〜Ｘｎを生成し各データ線３に供給する。双方向データ線駆動回路２００は、Ｘシフトレジスタ、レベルシフタ、及びサンプリング回路を備える。Ｘシフトレジスタは、Ｘ転送開始パルスＤＸをＸクロック信号ＸＣＫ及び反転Ｘクロック信号ＸＣＫＢに同期して順次転送して各出力信号を生成する。また、Ｘシフトレジスタには、画素の走査方向を決定するＤＩＲＸが供給されており、Ｘシフトレジスタは、ＤＩＲＸに基づいて走査方向を決定し、Ｘ転送開始パルスＤＸを順次転送して各出力信号を生成する。Ｘシフトレジスタは、例えば、ＤＩＲＸの論理値が正論理、すなわち、ＤＩＲＸの電位がＶＤＤＸを示す場合に、ｘ軸における所定の方向にＸ転送開始パルスＤＸを順次転送して各出力信号を順次出力し、ＤＩＲＸの論理値が負論理、すなわち、ＤＩＲＸの電位がＶＳＳＸを示す場合に、当該所定の方向と反対の方向にＸ転送開始パルスＤＸを順次転送して信号を順次出力する。
【００４０】
レベルシフタは、Ｘシフトレジスタの各出力信号のレベルを変換して、各サンプリング信号ＳＲ１〜ＳＲｎを順次生成する。サンプリング回路は、ｎ個のスイッチＳＷ１〜ＳＷｎを備える。各スイッチＳＷ１〜ＳＷｎは、ＴＦＴによって構成されている。そして、ゲートに供給される各サンプリング信号ＳＲ１〜ＳＲｎが順次アクティブになると、各スイッチＳＷ１〜ＳＷｎが順次オン状態となる。すると、フレキシブル基板Ｂを介して供給される画像信号４０Ｒ、４０Ｇ、４０Ｂがサンプリングされる。そして、サンプリング結果であるデータ線信号Ｘ１〜Ｘｎがデータ線３に順次供給される。
【００４１】
次に、画像表示領域Ａには、図２に示されるように、ｍ（ｍは２以上の自然数）本の走査線２が、Ｘ方向に沿って平行に配列して形成される一方、ｎ（ｎは２以上の自然数）本のデータ線３が、Ｙ方向に沿って平行に配列して形成されている。そして、走査線２とデータ線３との交差付近においては、ＴＦＴ５０のゲートが走査線２に接続される一方、ＴＦＴ５０のソースがデータ線３に接続されるとともに、ＴＦＴ５０のドレインが容量素子５１及び画素電極６に接続される。そして、各画素は、画素電極６と、対向基板に形成される対向電極と、これら両電極間に挟持された液晶とによって構成される。この結果、走査線２とデータ線３との各交差に対応して、画素はマトリクス状に配列されることとなる。
【００４２】
また、ＴＦＴ５０のゲートが接続される各走査線２には、走査信号Ｙ１、Ｙ２、…、Ｙｍが、パルス的に線順次で印加されるようになっている。このため、ある走査線２に走査信号が供給されると、当該走査線に接続されるＴＦＴ５０がオンするので、データ線３から所定のタイミングで供給されるデータ線信号Ｘ１、Ｘ２、…、Ｘｎは、対応する画素に順番に書き込まれた後、所定の期間保持されることとなる。
【００４３】
各画素に印加される電位レベルに応じて液晶分子の配向や秩序が変化するので、光変調による階調表示が可能となる。例えば、液晶を通過する光量は、ノーマリーホワイトモードであれば、印加電位が高くなるにつれて制限される一方、ノーマリーブラックモードであれば、印加電位が高くなるにつれて緩和されるので、液晶表示装置全体では、画像信号に応じたコントラストを持つ光が各画素毎に出射される。このため、所定の表示が可能となる。
【００４４】
図３は、フレキシブル基板Ｂ及びその周辺構成を示す平面図である。図３を参照して、第１実施形態の液晶表示装置におけるフレキシブル基板Ｂ及びその周辺の詳細な構成について説明する。フレキシブル基板Ｂは、基材２１０と、基材２１０の下に設けられた配線群１２とを有して構成される。配線群１２は、電源回路５００が生成した、双方向走査線駆動回路１００の動作に必要なＶＤＤＹ及びＶＳＳＹがそれぞれ供給される配線３２Ａ及び３４Ａ、並びに双方向データ線駆動回路２００の動作に必要なＶＤＤＸ及びＶＳＳＸが供給される配線３２Ｂ及び３４Ｂを含んで構成される。また、配線群１２は、ＤＩＲＹ及びＤＩＲＸがそれぞれ供給される配線３０Ａ及び３０Ｂを含んで構成される。
【００４５】
基材２１０は、例えば、ポリイミド等の弾力性に富む材料で構成することができる。基材２１０の下に設けられた配線群１２の下面はレジスト等で覆われており、不要な短絡が防止されるようになっている。配線群１２を構成する各配線の端部では、異方性導電膜等を介して、当該各配線と端子群１０との導通が取られている。
【００４６】
液晶パネルＡＡに設けられた端子群１０は、第１の制御信号入力端子の一例であるＤＩＲＹ入力端子２０Ａ及び第２の制御信号入力端子の一例であるＤＩＲＸ入力端子２０Ｂ、高位側電源端子の一例であるＶＤＤＹ電源端子２２Ａ及びＶＤＤＸ電源端子２２Ｂ、並びに低位側電源端子の一例であるＶＳＳＹ電源端子２４Ａ及びＶＳＳＸ電源端子２４Ｂを含んで構成される。ＤＩＲＹ入力端子２０Ａ及びＤＩＲＸ入力端子２０Ｂは、それぞれ配線３０Ａ及び３０Ｂに接続されており、ＶＤＤＹ電源端子２２Ａ、ＶＤＤＸ電源端子２２Ｂ、ＶＳＳＹ電源端子２４Ａ、及びＶＳＳＸ電源端子２４Ｂは、それぞれ配線３２Ａ、３２Ｂ、３４Ａ、及び３４Ｂに接続されている。
【００４７】
ＤＩＲＹ入力端子２０Ａ、ＶＤＤＹ電源端子２２Ａ、及びＶＳＳＹ電源端子２４Ａは双方向走査線駆動回路１００に接続されており、ＤＩＲＹ、ＶＤＤＹ、及びＶＳＳＹが双方向走査線駆動回路１００に供給される。また、ＤＩＲＸ入力端子２０Ｂ、ＶＤＤＸ電源端子２２Ｂ、及びＶＳＳＸ電源端子２４Ｂは双方向データ線駆動回路２００に接続されており、ＤＩＲＸ、ＶＤＤＸ、及びＶＳＳＸが双方向データ線駆動回路２００に供給される。具体的には、ＤＩＲＹ、ＶＤＤＹ、及びＶＳＳＹは、双方向走査線駆動回路１００を構成するシフトレジスタに供給されており、ＤＩＲＸ、ＶＤＤＸ、及びＶＳＳＸは、双方向データ線駆動回路２００を構成するシフトレジスタに供給されている。
【００４８】
ＤＩＲＹ入力端子２０Ａは、ＶＤＤＹ電源端子２２Ａ及びＶＳＳＹ電源端子２４Ａのいずれか一方に電気的に接続される。すなわち、ＤＩＲＹ入力端子２０Ａには、ＶＤＤＹ及びＶＳＳＹのいずれか一方が、ＤＩＲＹとして供給される。本実施形態では、一例として、ＤＩＲＹ入力端子２０Ａは、ＶＤＤＹ電源端子２２Ａと電気的に接続されており、ＶＤＤＹがＤＩＲＹとしてＤＩＲＹ入力端子２０Ａに供給される。
【００４９】
具体的には、ＤＩＲＹ入力端子２０Ａに接続された配線３０Ａが、フレキシブル基板Ｂにおいて、ＶＤＤＹ電源端子２２Ａに接続された配線３２Ａと短絡されることにより、ＤＩＲＹ入力端子２０Ａが、ＶＤＤＹ電源端子２２Ａに電気的に接続されている。すなわち、配線３０Ａは、配線３２ＡとＤＩＲＹ入力端子２０Ａとに接続されており、ＶＤＤＹがＤＩＲＹとしてＤＩＲＹ入力端子２０Ａに供給される。
【００５０】
また、ＤＩＲＸ入力端子２０Ｂは、ＶＤＤＸ電源端子２２Ｂ及びＶＳＳＸ電源端子２４Ｂのいずれか一方に電気的に接続される。すなわち、ＤＩＲＸ入力端子２０Ｂには、ＶＤＤＸ及びＶＳＳＸのいずれか一方が、ＤＩＲＸとして供給される。本実施形態では、一例として、ＤＩＲＸ入力端子２０Ｂは、ＶＤＤＸ電源端子２２Ｂと電気的に接続されており、ＶＤＤＸがＤＩＲＸとしてＤＩＲＸ入力端子２０Ｂに供給される。
【００５１】
具体的には、ＤＩＲＸ入力端子２０Ｂに接続された配線３０Ｂが、フレキシブル基板Ｂにおいて、ＶＤＤＸ電源端子２２Ｂに接続された配線３２Ｂと短絡されることにより、ＤＩＲＸ入力端子２０Ｂが、ＶＤＤＸ電源端子２２Ｂに電気的に接続されている。すなわち、配線３０Ｂは、配線３２ＢとＤＩＲＸ入力端子２０Ｂとに接続されており、ＶＤＤＸがＤＩＲＸとしてＤＩＲＸ入力端子２０Ｂに供給される。
【００５２】
本実施形態によれば、ＤＩＲＹ入力端子２０Ａ及びＤＩＲＸ入力端子２０Ｂが、電源端子に電気的に接続されており、当該電源端子に供給される電源がＤＩＲＹ及びＤＩＲＸとして、それぞれ双方向走査線駆動回路１００及び双方向データ線駆動回路２００に供給されるため、外部基板Ｃに画素の走査方向を決定する信号を生成する構成を設ける必要がない。したがって、本実施形態によれば、構成が簡易で安価な電気光学装置を提供することができる。また、本実施形態によれば、ＤＩＲＹ入力端子２０Ａ及びＤＩＲＸ入力端子２０Ｂを、所望の電圧を供給する電源端子に短絡させるだけで、走査方向を所望の方向に容易に設定又は変更することができる。
【００５３】
また、配線３０Ａ及び３０Ｂは、液晶パネルＡＡの近傍において、それぞれ配線３２Ａ又は３４Ａ、及び３２Ｂ又は３４Ｂに接続されるのが好ましい。これにより、フレキシブル基板Ｂにおいて、複数の配線が互いに隣接して、平行に延在する場合であっても、走査方向を決定するＤＩＲＹ及びＤＩＲＸにノイズがのる危険性を低減させることができる。したがって、双方向走査線駆動回路１００及び双方向データ線駆動回路２００の走査方向を安定して設定することができる。
【００５４】
ＤＩＲＹ入力端子２０Ａは、ＶＤＤＹ電源端子２２Ａ及びＶＳＳＹ電源端子２４Ａに隣接して設けられるのが望ましい。また、同様に、ＤＩＲＸ入力端子２０Ｂは、ＶＤＤＸ電源端子２２Ｂ及びＶＳＳＸ電源端子２４Ｂに隣接して設けられるのが望ましい。具体的には、本実施形態において、ＤＩＲＹ入力端子２０Ａは、ＶＤＤＹ電源端子２２ＡとＶＳＳＹ電源端子２４Ａとの間において、ＶＤＤＹ電源端子２２Ａ及びＶＳＳＹ電源端子２４Ａに隣接して設けられている。同様に、ＤＩＲＸ入力端子２０Ｂは、ＶＤＤＸ電源端子２２ＢとＶＳＳＸ電源端子２４Ｂとの間において、ＶＤＤＸ電源端子２２Ｂ及びＶＳＳＸ電源端子２４Ｂに隣接して設けられている。
【００５５】
本実施形態によれば、ＤＩＲＹ入力端子２０Ａ及びＤＩＲＸ入力端子２０Ｂは、それぞれＶＤＤＹ電源端子２２Ａ及びＶＳＳＹ電源端子２４Ａ、並びにＶＤＤＸ電源端子２２Ｂ及びＶＳＳＸ電源端子２４Ｂに隣接して設けられているため、ＤＩＲＹ入力端子２０Ａ及びＤＩＲＸ入力端子２０Ｂに接続された配線３０Ａ及び３０Ｂも、配線３２Ａ及び３４Ａ、並びに３２Ｂ及び３４Ｂに隣接して設けられることとなる。したがって、本実施形態によれば、ＤＩＲＹ入力端子２０Ａ及びＤＩＲＸ入力端子２０Ｂを、隣接する電源端子のいずれにも容易に電気的に接続させることができるため、容易に走査方向を設定又は変更することができる。
【００５６】
図４は、第２実施形態に係る液晶表示装置におけるフレキシブル基板Ｂ及びその周辺構成を示す図である。以下において、第１実施形態と異なる点を中心に第２実施形態のフレキシブル基板Ｂ等について説明する。なお、本実施形態の液晶表示装置の全体構成は第１実施形態と同様であり、第１実施形態と同一の符号を付した構成については、第１実施形態と同様の構成及び機能を有する。
【００５７】
本実施形態において、ＤＩＲＹ入力端子２０Ａ及びＤＩＲＸ入力端子２０Ｂは、外部基板Ｃにおいて、それぞれ、ＶＤＤＹ電源端子２２Ａ又はＶＳＳＹ電源端子２４Ａ、及びＶＤＤＸ電源端子２２Ｂ又はＶＳＳＸ電源端子２４Ｂに電気的に接続される。図４では、一例として、ＤＩＲＹ入力端子２０Ａに接続された配線３０Ａが、外部基板Ｃにおいて、ＶＤＤＹ電源端子２２Ａに接続された配線３２Ａと短絡されることにより、ＤＩＲＹ入力端子２０Ａは、ＶＤＤＹ電源端子２２Ａと電気的に接続される。また、同様に、ＤＩＲＸ入力端子２０Ｂに接続された配線３０Ｂが、外部基板Ｃにおいて、ＶＤＤＸ電源端子２２Ｂに接続された配線３２Ｂと短絡されることにより、ＤＩＲＸ入力端子２０Ｂは、ＶＤＤＸ電源端子２２Ｂと電気的に接続される。
【００５８】
本実施形態によれば、外部基板Ｃにおいて配線を短絡させるという簡易な構成で、ＤＩＲＹ入力端子２０Ａ及びＤＩＲＸ入力端子２０Ｂを、それぞれ、ＶＤＤＹ電源端子２２Ａ又はＶＳＳＹ電源端子２４Ａ、及びＶＤＤＸ電源端子２２Ｂ又はＶＳＳＸ電源端子２４Ｂに電気的に接続させることができるため、走査方向を容易に所望の方向に設定又は変更することができる。
【００５９】
また、本実施形態によれば、外部基板Ｃにおいて、例えば、ＤＩＲＹ入力端子２０Ａ及びＤＩＲＸ入力端子２０Ｂを、それぞれ、ＶＤＤＹ電源端子２２Ａ又はＶＳＳＹ電源端子２４Ａ、及びＶＤＤＸ電源端子２２Ｂ又はＶＳＳＸ電源端子２４Ｂのいずれに電気的に接続するかを切り換えるスイッチ等を設けることができる。したがって、本実施形態によれば、走査方向を所望の方向に容易に変更することができる。
【００６０】
図５は、第３実施形態に係る液晶表示装置におけるフレキシブル基板Ｂ及びその周辺構成を示す図である。以下において、第１実施形態及び第２実施形態と異なる点を中心に第３実施形態のフレキシブル基板Ｂ等について説明する。なお、本実施形態の液晶表示装置の全体構成は第１実施形態と同様であり、第１実施形態及び第２実施形態と同一の符号を付した構成については、当該実施形態と同様の構成及び機能を有する。
【００６１】
本実施形態において、電源回路５００は、双方向走査線駆動回路１００及び双方向データ線駆動回路２００（図１参照）に供給する電源として、共通の高位側電源ＶＤＤ及び低位側電源ＶＳＳを生成する。すなわち、端子群１０において、ＶＤＤＹ電源端子２２Ａ及びＶＤＤＸ電源端子２２Ｂの双方に、高位側電源としてＶＤＤが供給されており、また、ＶＳＳＹ電源端子２４Ａ及びＶＳＳＸ電源端子２４Ｂの双方に、低位側電源としてＶＳＳが供給されている。
【００６２】
図５では、一例として、ＤＩＲＹ入力端子２０Ａ及びＤＩＲＸ入力端子２０Ｂは、それぞれＶＤＤＹ電源端子２２Ａ及びＶＤＤＸ電源端子２２Ｂと電気的に接続されており、ＶＤＤが、ＤＩＲＹ及びＤＩＲＸとして、ＤＩＲＹ入力端子２０Ａ及びＤＩＲＸ入力端子２０Ｂの双方に供給されている。本実施形態では、ＤＩＲＹ入力端子２０Ａ及びＤＩＲＸ入力端子２０Ｂの双方に対して、それぞれ、ＶＤＤＹ電源端子２２Ａ及びＶＳＳＹ電源端子２４Ａ、並びにＶＤＤＸ電源端子２２Ｂ及びＶＳＳＸ電源端子２４Ｂが設けられているが、ＤＩＲＹ入力端子２０Ａ及びＤＩＲＸ入力端子２０Ｂの双方に対して、一組の高位側電源端子（ＶＤＤ電源端子）及び低位側電源端子（ＶＳＳ電源端子）が設けられてもよい。例えば、ＤＩＲＹ入力端子２０Ａ及びＤＩＲＸ入力端子２０Ｂは、ＶＤＤ電源端子とＶＳＳ電源端子との間に設けられる。
【００６３】
本実施形態によれば、双方向走査線駆動回路１００及び双方向データ線駆動回路２００の動作に必要な電源が共通であるため、外部基板Ｃの構成をさらに簡易にすることができるとともに、画素の走査方向を容易に設定又は変更することができる。
【００６４】
図６は、第４実施形態に係る液晶表示装置におけるフレキシブル基板Ｂ及びその周辺構成を示す図である。以下において、第１実施形態乃至第３実施形態と異なる点を中心に第４実施形態のフレキシブル基板Ｂ等について説明する。なお、本実施形態の液晶表示装置の全体構成は第１実施形態と同様であり、第１実施形態乃至第２実施形態と同一の符号を付した構成については、当該実施形態と同様の構成及び機能を有する。
【００６５】
本実施形態では、タイミング発生回路３００が、ＤＩＲＹ及びＤＩＲＸのいずれか一方を生成する。すなわち、ＤＩＲＹ入力端子２０Ａ及びＤＩＲＸ入力端子２０Ｂのいずれか一方は、ＶＤＤＹ電源端子２２Ａ若しくはＶＳＳＹ電源端子２４Ａ、又はＶＤＤＸ電源端子２２Ｂ若しくはＶＳＳＸ電源端子２４Ｂと電気的に接続されており、他方にはタイミング発生回路３００が生成したＤＩＲＹ又はＤＩＲＸが供給されている。
【００６６】
図６では、一例として、タイミング発生回路３００は、ＤＩＲＹを生成しており、ＤＩＲＹを外部基板Ｃに接続された配線３０Ａに供給する。一方、ＤＩＲＸ入力端子２０Ｂは、ＶＤＤＸ電源端子２２Ｂと電気的に接続されており、ＶＤＤＸがＤＩＲＸとして、ＤＩＲＸ入力端子２０Ｂに供給されている。また、ＤＩＲＹ入力端子２０Ａは、ＶＤＤＹ電源端子２２Ａ及び／又はＶＳＳＹ電源端子２４Ａに隣接して設けられなくともよい。また、ＤＩＲＹ入力端子２０Ａは、ＶＤＤＹ電源端子２２ＡとＶＳＳＹ電源端子２４Ａとの間に設けられなくともよい。
【００６７】
本実施形態によれば、走査方向を変更する必要のない方向については、当該方向に対応するＤＩＲＹ入力端子２０Ａ又はＤＩＲＸ入力端子２０Ｂを、ＶＤＤＹ電源端子２２Ａ若しくはＶＳＳＹ電源端子２４Ａ、又はＶＤＤＸ電源端子２２Ｂ若しくはＶＳＳＸ電源端子２４Ｂと電気的に接続することにより走査方向を固定し、走査方向を変更する必要がある方向については、タイミング発生回路３００においてＤＩＲＹ又はＤＩＲＸを生成することにより走査方向を変更することができる。
【００６８】
図７は、本発明の電子機器の一例であるパーソナルコンピュータ１０００の構成を示す斜視図である。図７において、パーソナルコンピュータ１０００は、表示パネル１００２と、キーボード１００４を有する本体部１００６とを備えて構成されている。当該パーソナルコンピュータ１０００の表示パネル１００２において、本発明の電気光学装置が利用されている。
【００６９】
上記発明の実施の形態を通じて説明された実施例や応用例は、用途に応じて適宜に組み合わせて、又は変更若しくは改良を加えて用いることができ、本発明は上述した実施形態の記載に限定されるものではない。例えば、上記実施形態においては、単相のＤＩＲＹ及び／又はＤＩＲＸを液晶パネルＡＡに供給し、液晶パネルＡＡの内部において正負論理信号を生成する例について説明したが、液晶パネルＡＡに当該正負論理信号を供給する構成においても上記実施形態を通じて説明された実施例や応用例が適用できる。そのような組み合わせ又は変更若しくは改良を加えた形態も本発明の技術的範囲に含まれ得ることが、特許請求の範囲の記載から明らかである。
【図面の簡単な説明】
【００７０】
【図１】従来の電気光学装置を示す図である。
【図２】本発明の電気光学装置の一例である液晶表示装置の第１実施形態を示すブロック図である。
【図３】フレキシブル基板Ｂ及びその周辺構成を示す平面図である。
【図４】フレキシブル基板Ｂ及びその周辺構成の第２実施形態を示す図である。
【図５】フレキシブル基板Ｂ及びその周辺構成の第３実施形態を示す図である。
【図６】フレキシブル基板Ｂ及びその周辺構成の第４実施形態を示す図である。
【図７】本発明の電子機器の一例であるパーソナルコンピュータ１０００の構成を示す斜視図である。
【符号の説明】
【００７１】
１０・・・端子群、２０Ａ・・・ＤＩＲＹ入力端子、２０Ｂ・・・ＤＩＲＸ入力端子、２２Ａ・・・ＶＤＤＹ電源端子、２２Ｂ・・・ＶＤＤＸ電源端子、２４Ａ・・・ＶＳＳＹ電源端子、２４Ｂ・・・ＶＳＳＸ電源端子、３０Ａ〜３４Ｂ・・・配線、１００・・・双方向走査線駆動回路、２００・・・双方向データ線駆動回路、２１０・・・基材、３００・・・タイミング発生回路、４００・・・画像処理回路、５００・・・電源回路、ＡＡ・・・液晶パネル、Ｂ・・・フレキシブル基板、Ｃ・・・外部基板、Ｄ・・・入力画像データ、ＤＩＲＹ・・・Ｙ制御信号、ＤＩＲＸ・・・Ｘ制御信号、ＶＤＤ、ＶＤＤＹ、ＶＤＤＸ・・・高位側電源、ＶＳＳ、ＶＳＳＹ、ＶＳＳＸ・・・低位側電源
【図１】
0004822041.tif 000002
【図２】
0004822041.tif 000003
【図３】
0004822041.tif 000004
【図４】
0004822041.tif 000005
【図５】
0004822041.tif 000006
【図６】
0004822041.tif 000007
【図７】
0004822041.tif 000008